(57)【要約】  本発明は、真っ直ぐな端部および傾斜した圧縮室を備えたピストン（１１）と、クランクシャフト（２８）が取り付けられたクランクケース（２９）と、ボルト（２５）を介してクロスヘッド（２７）に固定されたコネクティングロッド（２７）であって、クロスヘッドボディ（２３）内に交互に駆動される、コネクティングロッド（２７）と、いくつかの離間した部分（２２，２１）内のピストンロッド（７）と、シリンダライナ（６）を含むシリンダボディ（８）とを含む、フリーリフトピストン付往復ガス水平圧縮機において、シリンダヘッドエレメント（３２）からそれぞれ領域（ｎ）およびシリンダヘッドエレメント（３３）からゾーン（ｐ）と同じ角度および同じ平面の領域（ｍ）及び（ｋ）内で直線端と傾斜した圧縮室とが設けられた改良ピストン（１１）を直線的かつ交互に移動させ、いくつかの磁石（３０）がピストン（１１）に固定されるとともにいくつかの磁石（３１）がシリンダ（８）内とシリンダライナ（６）の外側及び下部とに固定され、これを通してピストン（１１）はストローク長上を低摩擦でフリーリフトする。【選択図】図１
2021526192.tif 000002
【特許請求の範囲】
【請求項１】
ピストン（１１）を有するフリーリフトピストン付の往復ガス水平圧縮機であって、クランクケース（２９）、クランクシャフト（２８）、クロスヘッド（２６）、ディスタンスピース（２３）、シリンダ（８）、ピストンロッド（７）、オイルワイパーケース（２４）、補助ガスケース（２０）、メインガスケース（１）、いくつかの吸引バルブ（１４）、およびいくつかの排出バルブ（１８）を含む、往復ガス水平圧縮機において、前記ピストン（１１）は、いくつかの真っ直ぐな端部と、いくつかの傾斜した圧縮室（ｍ），（ｋ）であって、傾斜したシリンダヘッド要素（３２）からのゾーン（ｎ）と傾斜したシリンダヘッド要素（３３）からのゾーン（ｐ）と共に、ガス圧縮及びピストン（１１）の交互の移動によるフリーリフトのために前記シリンダ（８）の各端部に１つずつ、前記シリンダ（８）内に２つの傾斜したガス圧縮室を形成する、圧縮室（ｍ），（ｋ）とを有し、いくつかの永久磁石（３０）が前記ピストン（１１）の下部に２つ以上の列で固定され、いくつかの永久磁石（３１）が前記シリンダライナ（６）の下で前記シリンダ（８）内に固定され、永久磁石（３０）で生成された領域に対して対向し、摩擦無しでまたは低摩擦で、フリーリフト及びスライド効果を同時に発生させる磁界を有することを特徴とする、往復ガス水平圧縮機。
【請求項２】
請求項１に記載の往復ガス水平圧縮機において、シリンダ（８）は両端にいくつかの傾斜した圧縮室であって、ピストン（１１）内への２つの傾斜した圧縮室（ｍ），（ｋ）とシリンダヘッド（１７）に固定された傾斜したシリンダヘッド要素（３２）と、反対側の端部でシリンダヘッド（２）に固定されたシリンダヘッド要素（３３）とで形成され、それぞれゾーン（ｎ），（ｐ）である、圧縮室を有することを特徴とする、往復ガス水平圧縮機。
【請求項３】
請求項１または２に記載の往復ガス水平圧縮機において、前記ピストン（１１）は、傾斜面を有する２つのガイドブッシュ（５，１２）がピストンロッド（７）上に取り付けられて、いくつかのシリンダヘッド（２），（１７）に属するいくつかのシリンダヘッド要素（３２），（３３）の傾斜面（ｎ），（ｐ）と共に、ストロークの終端におけるクリアランスの制限内で、２つの前記シリンダヘッド（２），（１７）からのエリア（ｎ），（ｐ）に対して、前記ピストン（１１）のフリーリフトを可能にする２つのガス圧縮室をそれぞれ形成することを特徴とする、往復ガス水平圧縮機。
【請求項４】
請求項１乃至３に記載の往復ガス水平圧縮機において、シリンダ（８）は、ピストン端部からの傾斜した圧縮室（ｍ），（ｋ）と同様の傾斜角を有する、傾斜したエリア（ｎ），（ｋ）を有する１つのシリンダヘッドを両端に有し、前記ピストン（１１）のストロークの各終端におけるクリアランスを保持することを特徴とする、往復ガス水平圧縮機。
【発明の詳細な説明】
【技術分野】
【０００１】
本発明は、製油所、石油化学、化学工業からのガスを圧縮するための産業用途、貯蔵、圧縮、メタンガス輸送、または空気圧縮などで使用されるシリンダおよびフリーフロート（ｆｒｅｅ  ｆｌｏａｔｉｎｇ）ピストンを備えた水平ガス圧縮機に関する。
【背景技術】
【０００２】
水平ピストン圧縮機の製造の一般的な解決策としては、特に以下に関連する解決策が知られている。
２０１４年９月１８日に公開されたＨｏｗｄｅｎ  Ｔｈｏｍａｓｓｅｎ  Ｃｏｍｐｒｅｓｓｏｒｓ  ＢＶに属する特許番号ＷＯ２０１４１３９５６５Ａ１には、そこに記載されたフリーリフト（ｆｒｅｅ  ｌｉｆｔｉｎｇ）ピストンを備えてガスピロー上をスライドする往復水平圧縮機の技術的な解決策を含んだ特許が含まれている。
【０００３】
発明者がＰｒｏｄａｎ  Ｍａｒｉａｎであり、２０１７年６月３０日にＢＯＰＩ  ６／２０１７で公開されたＣｏｍｐｒｅｓｓｏｒ  ＰｕｍｐＩｎｄｕｓｔｒｉａｌの特許出願Ａ２０１５００９５９は、傾斜したヘッドピストンを備えた往復水平圧縮機に関している。
【発明の概要】
【発明が解決しようとする課題】
【０００４】
ＷＯ２０１４１３９５６５Ａ１の特許の不利な点：
圧縮室からの高温ガスから来る、ガスピロー（ｇａｓ  ｐｉｌｌｏｗ）として使用されるガスは、冷却されることなくピストンのノズルを通過し、吸引部からの冷たいガスと混合することによって他方の圧縮室に到達する。吸引された低温ガスは、吸引された低温ガスがガスピローからの高温ガスと混合されることにより吸引温度が上昇する。
【０００５】
ガスピローからの高温ガスは、ガスピローノズルから排出されるときに、ライダー（ｒｉｄｅｒ）リングエリアに追加の熱を提供し、低温ガス吸引サイクルから吸引ガスへの放熱を防ぎ、グラファイトテフロン（登録商標）または他の材料で作られたライダーリングのレベルにおける温度を上昇させ、ライダーリングの摩耗率を上昇させる。
【０００６】
ピストンの下部にあるガス出口の孔は、ライダーリングと交差しており、ピストン上に延びるように取り付けられた単一の部品で作られている場合、ガスピロー状態を実現できるという、複雑な解決策である。
【０００７】
ガスピローを実現するために作られたピストンの下部にある、バルブを有するまたは有さない吸引オリフィス、およびバルブを有するまたは有さない排出オリフィスおよび／またはオリフィスは、ガス中に存在する混入物質で簡単に詰まる可能性があり、ガスピローを実現できないという効果がある。
【０００８】
ピストンの内部に入る混入物質は、圧縮機をシャットダウンし、ピストンサブアセンブリを完全に取り外すことによってのみ清掃されることができる。
ガスピローを実現するガスの積層の条件は、形状におけるミクロンの狂いと接触する表面の相互条件の達成を含み、この発明が言及する中規模および大規模のプロセスガス圧縮機では実際に達成することは不可能な条件である。
【０００９】
ガスピローを実現するために、各ライダーリングに１つのオリフィスが設けられている場合に圧縮機の流れからのガスの損失はかなりのものになり、２つの孔によって達成されるガスピローの大きさが小さいことにより、運搬能力の観点から、２つの孔はいかなるピストンサイズにも適合することができないことも、各ライダーリングにより多くのオリフィスを有するガスピローオプションの達成について言及されており、これにより、より高いデビット（ｄｅｂｉｔ）ロスとなる。
【００１０】
圧縮段階および吸引圧力から排出圧力への圧力の増加による長さストロークに沿ったガス圧力の変化は、ピストン内の脈動およびガス圧力の変化となり、これにより、ガスピローを達成するためのピストンの底部におけるガスの排出圧力は、ガス条件の積層を維持する際の不連続となり、ストローク長にかけてのピストンとシリンダライナとの間のガスピローの脈動が達成され、およびフリーリフト効果の脈動が低下する。
【００１１】
特許出願番号Ａ２０１５００９５９の不利な点：
傾斜した圧縮室内に真っ直ぐな端部を有するフリーリフトピストンを可能にする、傾斜した圧縮室を有するピストンを備えた水平圧縮機の製造を可能にしていない。
【課題を解決するための手段】
【００１２】
本発明によって解決された課題は、真っ直ぐなヘッドのために、古典的な形式の真っ直ぐなヘッドピストンについて、既存の圧縮機または新たな圧縮機に適応可能な、最小限の構造的改良で傾斜した圧縮室内でフリーリフトされる、真っ直ぐな端部および傾斜した圧縮室を有する複動式のシリンダおよびピストンを備えた水平ガス圧縮機の製造に関する。
【００１３】
本発明による、フリーリフトピストン付水平ガスピストン圧縮機は、ピストンの両端に１つずつ、ストレートヘッドピストン及び傾斜圧縮室と、既存のシリンダに取り付けられた頂部が傾斜したシリンダヘッドと、ピストンおよびシリンダに、永久磁石サポートで構成されてシリンダ内部の長さストローク上、及び、磁気ピロー上でピストンを追加的にガイドして摩耗を含む重量及び摩擦力を低減させる領域を追加的に装備させることとを共に用いることにより、上述の欠点を解消する。
【００１４】
フリーリフトピストン付水平ガス圧縮機には、以下の利点がある。
真っ直ぐなピストンヘッドと傾斜した圧縮室および磁気ピローを備えた圧縮機の建設的な解決策は、圧縮機の用途や大きさに関係なく、簡単に言えば、重量、摩擦、摩耗を低減させ、ピストンの真っ直ぐな頂部形状を保つ。
【００１５】
圧縮機内のピストン及びピストンロッドのフリーリフトは、通常の動作条件下ではガス混入物質の影響を受けない。
圧縮機内のピストン及びピストンロッドのフリーリフトは、排出から吸入までの追加の流量損失を含まない。
【００１６】
圧縮機内のピストンのフリーリフトは、ピストンヘッドの傾斜面に圧力を直接作用し、磁気ピロー上をスライドすることによって行われる。
ピストンをフリーリフトするためにピストンを加圧する必要がない。
【００１７】
吸引ガスは排出ガスによって加熱されない。
圧縮機内のピストンのフリーリフトは、既存のまたは新規に設計された圧縮機の動作条件及び寸法に従って設計されることができ、傾斜した圧縮室及び／または磁気ピローと一緒にまたは個別にフリーリフトピストンの解決策を共に用いる可能性を有している。
【００１８】
ピストンの全長、ライダーリング及びピストンリングの既存の位置および寸法は維持され、これには、シリンダ内のピストンとバルブオリフィスとの相対位置によって与えられる既存の制限が含まれ、それらの相対的な位置を変更する必要はなく、圧縮室をピストンヘッド内で傾斜させることを可能にすることを維持する。
【００１９】
選択された構成のいずれかで、必要性および／または改装がより適用しやすい技術仕様の条件に応じて、フリーリフト効果を同時にまたは個別に実現する可能性を有して、磁気ピローを導入することにより、シリンダライナ内のピストンが、低摩擦で、ストロークの全長にわたってスライドする可能性を拡大させる。
【図面の簡単な説明】
【００２０】
【図１】フリーリフトピストン付水平ガス圧縮機の断面図を示す。
【図２】永久磁石を備えた、傾斜したヘッドと傾斜した圧縮室とを有する水平ガス圧縮機のシリンダ断面図を示す。
【図３】永久磁石を備えた、ピストン及びシリンダライナの断面図を示す。
【発明を実施するための形態】
【００２１】
以下を示す図１乃至３を参照して、本発明の例を説明する。
水平圧縮機ガスピストン圧縮機は、クランクシャフト（２８）が取り付けられたクランクケース（２９）、ボルト（２５）を介してクロスヘッド（２６）に固定されたコネクティングロッド（２７）を含み、クロスヘッドボディ（２３）内にピストンロッド（７）をいくつかの離れた部分（２２，２１）とシリンダボディ（８）との中に交互に駆動させる。クランクケースからのオイルの分離は、オイルワイパーケース（２４）を介して行われ、圧縮室のガスシールは、補助ガスパッキン（２０）とメインガスパッキン（１）とを介して行われる。圧縮ガスの吸引及び排出は、いくつかのバルブカバー（１５，１９）に固定された一部のバルブ（１４，１８）を介して行われる。円筒形ライナ（６）を含むシリンダ圧縮機（８）は、シリンダヘッド（１７）に取り付けられたシリンダヘッドエレメント（３２）の領域（ｎ）およびシリンダヘッド（２）に取り付けられたシリンダヘッドエレメント（３３）のゾーン（ｐ）と同じ角度および同じ平面の直線端と傾斜した圧縮室（ｋ），（ｍ）とが設けられたいくつかのガイドブッシング（５，１２）を備えた改良ピストン（１１）を直線的かつ交互に移動させ、それを通してピストン（１１）がストローク長さでフリーリフトされる。ピストン（１１）は、ピストンナット（１３）を介してピストンロッド（８）に取り付けられ、ピストン（１１）のいくつかのチャネルに配置されているいくつかのライダーリング（１０）を備えており、ストローク長に沿った、ガス圧縮およびシリンダ（８）に入るピストン（１１）のシールのため、ピストン（１１）のいくつかのチャネルに配置されたシリンダライナ（６）およびいくつかのピストンセグメント（９）と直接接触させることなく、ピストン（１１）及びピストンロッド（７）の取り付けを確実にする。
【００２２】
追加のフリーリフト効果と摩擦が低下した運動を実現するために、ピストン（１１）に固定されているいくつかの磁石（３０）とシリンダ（８）の外径かつシリンダライナー（６）の下部に固定されているいくつかの磁石（３１）とが用いられている。
【００２３】
ガスの吸引は、シリンダ（８）内のピストン（１１）の長さストロークに沿っていくつかのバルブ（１４）を介して行われ、ピストン（１１）の戻りストロークでガスが圧縮され、いくつかの排出バルブ（１８）が開いているとき、ストロークの終わりまで傾斜した室内のガス圧の作用によってフリーリフトされる。フリーリフト動作は、同時に行われ、シリンダヘッド（１７）からシリンダ（８）のヘッド内へのガス吸引が行われると、ピストン（１１）の交互の動きにおける各圧縮シーケンスでの現在のおよび交互の効果を有して、ピストン（１１）のダブルストロークのときとは対称的に行われ、ピストン（１１）とシリンダヘッド（２）及びシリンダヘッド要素（３３）との間のガスの圧縮、及びそれぞれ、いくつかの吸引バルブ（１４）を通るピストン（１１）の戻りストロークにおけるガスの吸引およびピストン（１１）とシリンダヘッド（１７）およびシリンダヘッド要素（３２）との間のガスの圧縮と同時に行われる。
【００２４】
上記の発明は、開示された例だけに限定されるものではなく、それぞれ、単気筒を備えた水平圧縮機のみに限定されない。このソリューションは、多くのシリンダを備えた水平圧縮機にも適用されてもよい。
【図１】
2021526192.tif 000003
【図２−３】
2021526192.tif 000004
【国際調査報告】
2021526192.tif 000005
2021526192.tif 000006